【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
マグネット及びベースを含む固定子、
中空が形成されたボビン、及び前記ボビンの外周面に配置され、コイルブロックを含む可動子、
前記ボビンを支持し、前記ボビンの下面に位置する下部弾性部材を含み、
前記コイルブロックに電流が印加されない時、前記可動子は停止状態になり、前記コイルブロックに電流が印加される時、前記可動子は前記停止状態から上方向または下方向に駆動され、
前記下部弾性部材は前記コイルブロックを成す電線の一側端部が連結される第１弾性部材と前記電線の他側端部が連結される第２弾性部材を含み、前記第１及び第２弾性部材は相互絶縁されていて、
前記第１及び第２弾性部材を通して前記コイルブロックに電流が印加されることを特徴とするボイスコイルモーター。
【請求項２】
前記第１及び第２弾性部材は、各々前記ボビンと結合される内側弾性部と、前記固定子と結合される外側弾性部と、前記内側及び外側弾性部を連結する連結弾性部を含むことを特徴とする請求項１に記載のボイスコイルモーター。
【請求項３】
前記下部弾性部材は前記ボビンの下面と結合することを特徴とする請求項１または２に記載のボイスコイルモーター。
【請求項４】
前記第１及び第２弾性部材は、前記ベースの上面と平行に配置されることを特徴とする請求項１乃至３のうちいずれかに記載のボイスコイルモーター。
【請求項５】
前記第１及び第２弾性部材の内側弾性部と外側弾性部が垂直方向に異なる位置に配置されることを特徴とする請求項１乃至３のうちいずれかに記載のボイスコイルモーター。
【請求項６】
前記第１及び第２弾性部材の内側弾性部が外側弾性部より高い位置に配置されることを特徴とする請求項５に記載のボイスコイルモーター。
【請求項７】
前記ボビンの上面に結合される上部弾性部材をさらに含み、上部弾性部材は下部弾性部材と絶縁されていることを特徴とする請求項１乃至６のうちいずれかに記載のボイスコイルモーター。
【請求項８】
前記下部弾性部材と前記ヨークとは離隔されていることを特徴とする請求項１乃至７のうちいずれかに記載のボイスコイルモーター。
【請求項９】
前記下部弾性部材と前記マグネットとは離隔されていることを特徴とする請求項１乃至８のうちいずれかに記載のボイスコイルモーター。
【請求項１０】
前記ボビンはレンズと結合されるようにする結合手段が形成されていることを特徴とする請求項１乃至９のうちいずれかに記載のボイスコイルモーター。
【請求項１１】
前記結合手段は螺旋山が形成されていることを特徴とする請求項１０に記載のボイスコイルモーター。
【請求項１２】
前記固定子はヨークを含み、前記ヨークはヨーク上板及び前記ヨーク上板の周縁から延長されたヨーク側面板を含むことを特徴とする請求項１乃至１１のうちいずれかに記載のボイスコイルモーター。
【請求項１３】
前記ヨーク上板は平面上から見た時、四角プレート形状であることを特徴とする請求項１２に記載のボイスコイルモーター。
【請求項１４】
前記ヨーク上板の中央部には前記ボビンと結合されるレンズを露出する開口が形成されることを特徴とする請求項１２または１３に記載のボイスコイルモーター。
【請求項１５】
平面上から見た時、前記コイルブロックは前記マグネットより内側にあることを特徴とする請求項１乃至１４のうちいずれかに記載のボイスコイルモーター。
【請求項１６】
前記両方向は前記ベースから遠くなる第１方向及び前記ベースに近くなるように第２方向であることを特徴とする、請求項１乃至１５のうちいずれかに記載のボイスコイルモーター。
【請求項１７】
前記コイルブロックに電流が印加されない場合、前記ボビンと前記ベースの間にギャップが形成されていて、前記コイルブロックに電流が印加される時、前記可動子は少なくとも前記ベースから遠くなる第１方向及び前記ベースに近くなるように第２方向に駆動されることを特徴とする、請求項１乃至１６のうちいずれかに記載のボイスコイルモーター。
【請求項１８】
前記可動子が前記第１方向に駆動される時、前記コイルブロックは単方向電流が印加され、前記可動子が前記第２方向に駆動される時、前記コイルブロックには前記方向とは反対方向の電流が印加されることを特徴とする、請求項１乃至１７のうちいずれかに記載のボイスコイルモーター。
【請求項１９】
前記可動子及び前記固定子を覆うカーバをさらに含み、
前記ボビンと向かい合う前記ベース、及び前記ボビンと向かい合う前記カーバの内側面のいずれか一つまたは全部に衝撃緩衝部材が配置されたことを特徴とする、請求項１乃至１８のうちいずれかに記載のボイスコイルモーター。
【請求項２０】
前記緩衝部材は、スポンジ、弾性プラスチック及びゴムのうち一つを含むことを特徴とする、請求項１９に記載のボイスコイルモーター。
【請求項２１】
前記ボビンには前記コイルブロックを支持するための段差が形成されることを特徴とする、請求項１乃至２０のうちいずれかに記載のボイスコイルモーター。
【請求項２２】
レンズと、
イメージセンサと、
前記レンズと、
前記イメージセンサの間の距離を調整する請求項１乃至２１のうちいずれかに記載されたボイスコイルモーターと、を具備することを特徴とする、カメラ。
【請求項２３】
携帯電話に内蔵されることを特徴とする、請求項２２に記載のカメラ。
【請求項２４】
前記コイルブロックに第１電流を印加して前記ボビンを基準位置に移動させ、
前記第１電流のサイズを減少させ、前記ボビンを前記基準位置から離隔させて前記第１電流とは反対の第２電流を印加して前記ボビンを前記基準位置からさらに離隔させることを特徴とする、請求項２２または２３に記載のカメラ。
【請求項２５】
前記第２電流の量を一定に維持する過程を追加することを特徴とする、請求項２４に記載のカメラ。
【請求項２６】
前記基準位置は前記ベースの上部であることを特徴とする、請求項２４または２５に記載のカメラ。
【請求項２７】
前記ボビンを上昇させるための上昇制御信号、及び前記ボビンを下降させるための下降制御信号を各々発生させる制御ユニット、及び前記制御ユニットを前記上昇及び下降制御信号に応答して前記コイルブロックに正方向電流及び逆方向電流のうち一つを提供する電流提供ユニットをさらに含むことを特徴とする、請求項２２乃至２６のうちいずれかに記載のカメラ。
【請求項２８】
請求項２１乃至２７のうちいずれかに記載されたカメラを内蔵することを特徴とする、携帯電話。
【請求項２９】
マグネットが固定されたベースから離隔された所に弾性部材により弾力的に支持されレンズが内臓されたボビンに巻線されたコイルブロックに第１電流を印加して前記ボビンを基準位置に移動させて前記ボビンを整列させるステップ、
前記コイルブロックに前記第１電流を減少させたり、前記第１電流と反対方向に流れる第２電流を印加して前記ボビンを前記基準位置から離隔させるステップ、及び
前記レンズ及び前記ボビンの下部に配置されたイメージセンサモジュールの間に最適フォーカスが形成される時、前記第１電流または前記第２電流の電流量を一定に維持させて前記ボビンを前記最適フォーカスと対応する位置に停止させるステップ、
を実行することを特徴とする、請求項２８に記載の携帯電話。
【請求項３０】
前記ボビンを前記最適フォーカスと対応する位置に停止させるステップは、前記ボビンを前記最適フォーカスの位置から離れた所まで移動させるステップ、及び
前記コイルブロックに前記第１電流を再び印加したり前記第２電流を減少させて前記ボビンを前記最適フォーカスの位置に復帰させるステップを含むことを特徴とする、請求項２９に記載の携帯電話。